(57)【特許請求の範囲】
【請求項１】
排水口と、前記排水口よりも高い位置に設けられるオーバーフロー口とを備える洗面台の前記排水口に繋がる排水管を清掃する際に用いられる清掃用補助治具であって、
前記オーバーフロー口の外側から前記オーバーフロー口を覆うことが可能であり、柔軟性を有する蓋部と、
前記オーバーフロー口の内側から前記オーバーフロー口を形成する部分の端部に引っ掛けることが可能な引っ掛け部と、
前記蓋部と前記引っ掛け部とを連結する連結部と、
前記連結部に設けられ、前記蓋部を前記引っ掛け部側に押し付ける押し付け部と、
を備え、
前記連結部は、螺子棒であり、
前記押し付け部は、前記螺子棒に螺合する蝶ナットであり、
前記蝶ナットを前記螺子棒に螺合させて前記引っ掛け部側に押し付けることにより前記蓋部が変形しつつ前記オーバーフロー口を前記引っ掛け部との間で挟み込んで塞ぐことを特徴とする清掃用補助治具。
【請求項２】
請求項１に記載の清掃用補助治具において、
前記蝶ナットと前記蓋部との間に設けられ、前記蓋部よりも高い強度を有する板部材をさらに備えることを特徴とする清掃用補助治具。
【請求項３】
請求項１に記載の清掃用補助治具において、
前記蓋部よりも外側に設けられ、前記蓋部よりも高い強度を有する板部材と、
前記板部材を前記蓋部側に押し付けるように付勢する付勢部材と、
を備えることを特徴とする清掃用補助治具。
【請求項４】
請求項１〜請求項３のいずれか１項に記載の清掃用補助治具において、
蓋部は、ゴム部材で構成されていることを特徴とする清掃用補助治具。
【発明の詳細な説明】
【技術分野】
【０００１】
本発明は、清掃用補助治具に関する。
【背景技術】
【０００２】
現在、商業施設等の様々な施設にある化粧室等には、洗面台が設けられている。本発明に関連する技術として、例えば、特許文献１には、底面に排水口が設けられたボウル部とカウンター部とからなる洗面ボウルにおいて、上記ボウル部を構成する側壁に上記排水口より所定寸法高い位置に設けられたオーバーフロー口の開閉をレリーズワイヤを介してカウンター部に設けられた操作部によって行うオーバーフロー口の開閉構造が開示されている。
【先行技術文献】
【特許文献】
【０００３】
【特許文献１】特開２００９−４１２７９号公報
【発明の概要】
【発明が解決しようとする課題】
【０００４】
ところで、化粧室は、例えば、女性等が化粧直しをするために利用する場合があり、また当該女性等がドライヤーでブローをすることもある。そして、この際に抜け落ちた髪の毛が排水口から排水管に流れ込み、排水管が詰まってしまうことがある。もちろん、髪の毛以外の塵等が排水管に詰まることもある。これに対し、洗面台の清掃を行う清掃作業員は、真空式パイプクリーナー等を用いて排水管に詰まった汚物を取り除く必要がある。この際、オーバーフロー口が開口したままの状態であると排水管から好適に汚物を取り除くことができない。したがって、手でオーバーフロー口を塞ぐ等の処理を行う必要があり、一人の清掃作業員で清掃しようとすると困難である。
【０００５】
本発明の目的は、より簡単に排水管に詰まった汚物を取り除くことを可能とする清掃用補助治具を提供することである。
【課題を解決するための手段】
【０００６】
本発明に係る清掃用補助治具は、排水口と、前記排水口よりも高い位置に設けられるオーバーフロー口とを備える洗面台の前記排水口に繋がる排水管を清掃する際に用いられる清掃用補助治具であって、前記オーバーフロー口の外側から前記オーバーフロー口を覆うことが可能であり、柔軟性を有する蓋部と、前記オーバーフロー口の内側から前記オーバーフロー口を形成する部分の端部に引っ掛けることが可能な引っ掛け部と、前記蓋部と前記引っ掛け部とを連結する連結部と、前記連結部に設けられ、前記蓋部を前記引っ掛け部側に押し付ける押し付け部と、を備え、前記連結部は、螺子棒であり、前記押し付け部は、前記螺子棒に螺合する蝶ナットであり、前記蝶ナットを前記螺子棒に螺合させて前記引っ掛け部側に押し付けることにより前記蓋部が変形しつつ前記オーバーフロー口を前記引っ掛け部との間で挟み込んで塞ぐことを特徴とする。
【０００８】
また、本発明に係る清掃用補助治具において、前記蝶ナットと前記蓋部との間に設けられ、前記蓋部よりも高い強度を有する板部材をさらに備えることが好ましい。       
【０００９】
また、本発明に係る清掃用補助治具において、前記蓋部よりも外側に設けられ、前記蓋部よりも高い強度を有する板部材と、前記板部材を前記蓋部側に押し付けるように付勢する付勢部材と、を備えることが好ましい。
【００１０】
また、本発明に係る清掃用補助治具において、蓋部は、ゴム部材で構成されていることが好ましい。
【発明の効果】
【００１１】
本発明によれば、より簡単に排水管に詰まった汚物を取り除くことができる。
【図面の簡単な説明】
【００１２】
【図１】本発明に係る実施の形態において、洗面台の斜視図である。
【図２】本発明に係る実施の形態において、洗面台の断面図である。
【図３】本発明に係る実施の形態において、清掃補助治具の断面図である。
【図４】本発明に係る実施の形態において、清掃補助治具の正面図である。
【図５】本発明に係る実施の形態において、清掃補助治具の背面図である。
【図６】本発明に係る実施の形態において、洗面台に清掃補助治具を取り付けた様子を示す断面図である。
【図７】本発明に係る実施の形態において、真空式パイプクリーナーを示す図である。
【図８】本発明に係る実施の形態において、清掃補助治具の断面図である。
【発明を実施するための形態】
【００１３】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１４】
図１は、洗面台１００の斜視図である。図２は、洗面台１００の断面図である。洗面台１００は、ボウル形状を有する本体部１０２と、水道水を供給するための蛇口１０３と、本体部１０２の底面に設けられる排水口１０４と、排水口１０４を塞ぐことが可能なポップアップ式止水栓１０６と、ポップアップ式止水栓１０６の開閉操作を行うためのポップアップつまみ１０８が設けられている。また、排水口１０４には、水を外部に排出するための排水管１１０が設けられている。
【００１５】
洗面台１００を利用する人は、蛇口１０３をひねって水道水を出すことで、手を洗う等することができ、また、ポップアップ式止水栓１０６を閉める操作を行い、排水口１０４を塞ぐことで、本体部１０２に水を溜めることができる。このとき、蛇口１０３の閉め忘れ等で本体部１０２から水があふれ出てしまうことを防止するために、本体部１０２の側面のうち排水口１０４よりも高い位置に略楕円形状を有するオーバーフロー口１１２が設けられている。また、洗面台１００には、オーバーフロー口１１２と排水管１１０とを連通するオーバーフロー管１１４が設けられている。これにより、仮に本体部１０２に溜まる水道水の水位が上がった場合であっても、オーバーフロー口１１２からオーバーフロー管１１４を介して排水管１１０に水道水が排出される。
【００１６】
図３は、洗面台１００の排水管１１０に詰まった汚物を取り出すために用いられる清掃補助治具１０の断面図である。図４は、清掃補助治具１０の正面図（矢印Ｂ方向から見た図）である。図５は、清掃補助治具１０の背面図（矢印Ｃ方向から見た図）である。清掃補助治具１０は、蓋部１２と、引っ掛け部１４と、連結部１６と、板部材１８と、蝶ナット２０とを備える。
【００１７】
蓋部１２は、オーバーフロー口１１２の開口面積よりも大きい面積を有する略長方形の形状を有する部材である。蓋部１２は、適当な柔軟性を有する部材、例えば、ゴム部材を用いて構成することができる。蓋部１２の中心部には、連結部１６を通すための貫通孔１２ａが形成されている。
【００１８】
引っ掛け部１４は、オーバーフロー口１１２の外側から内側に挿入可能な大きさを有する板材である。引っ掛け部１４は、適当な強度を有する部材、例えば、鉄を用いて構成することができる。ここで、オーバーフロー口１１２の外側は、オーバーフロー口１１２に対し本体部１０２の凹み部分の側を意味する。また、オーバーフロー口１１２の内側は、オーバーフロー口１１２に対しオーバーフロー管１１４の側を意味する。
【００１９】
連結部１６は、円筒形状を有し、表面がねじ切り形成されている螺子棒である。連結部１６の端部は、引っ掛け部１４の中央部に接合固定されている。また、連結部１６は、蓋部１２の貫通孔１２ａを貫通するように設けられている。ここで、連結部１６の断面積と貫通孔１２ａの孔面積を比べると、連結部１６の断面積の方が大きい。すなわち、蓋部１２は、連結部１６の長手方向に沿って移動可能な状態で設けられている。
【００２０】
板部材１８は、蓋部１２と蝶ナット２０との間において、蓋部１２と接合するように取り付けられている。板部材１８は、蓋部１２よりも強度が強い部材、例えば、鉄板を用いて構成される。なお、板部材１８についても蓋部１２の貫通孔１２ａと対応する位置に同径の貫通孔１８ａが設けられている。
【００２１】
蝶ナット２０は、連結部１６と螺合することが可能な部材である。蝶ナット２０は、蝶の羽のような形状を有しており、手で締め付けや取り外しが可能な螺合部材である。そして、蝶ナット２０が締め付けられて、蝶ナット２０が板部材１８側に進み、板部材１８に当接すると、板部材１８によって蓋部１２が引っ掛け部１４側に進むこととなる。
【００２２】
続いて、洗面台１００の排水管１１０に詰まった汚物を取り除く際に、清掃補助治具１０を用いる効果について説明する。
【００２３】
洗面台１００の排水管１１０に汚物が詰まってしまった場合には、以下の手順で清掃を行う。まず、清掃作業員は、清掃補助治具１０を準備し、引っ掛け部１４をオーバーフロー口１１２から内側に挿入する。このとき、引っ掛け部１４とオーバーフロー口１１２との位置関係を見ながら、清掃補助治具１０を適当に移動させたり、傾けたりして、引っ掛け部１４をオーバーフロー口１１２の内側に挿入することが好適である。
【００２４】
その後、引っ掛け部１４の内側面１４ａをオーバーフロー口１１２を形成している部分である端部１０２ａに引っ掛ける。次に、蝶ナット２０を締め付けて、蝶ナット２０が板部材１８に当接した状態でさらに締め付けると、蓋部１２が引っ掛け部１４側に進む。次いで、蓋部１２がオーバーフロー口１１２を塞ぎはじめて、さらに蝶ナット２０を締め付けると、蓋部１２は柔軟性を有することから適当な形に変形する。このとき、図６に示されるように、オーバーフロー口１１２を形成している部分の端部１０２ａを蓋部１２と引っ掛け部１４とでしっかりと挟んでいる状態となり、また、オーバーフロー口１１２は蓋部１２によってしっかりと密封される。
【００２５】
次に、清掃作業員は、真空式パイプクリーナー３０を準備する。図７は、真空式パイプクリーナー３０を示す図である。ここで、真空式パイプクリーナー３０は、ハンドル部３２を引っ張ったときに生じる吸引力と、ハンドル部３２を押し下げたときに生じる圧力を利用して、排水管１１０に詰まった汚物を取り除く。具体的には、ポップアップ式止水栓１０６を取り外し、真空式パイプクリーナー３０の皿部３４を排水口１０４に合わせる。そして、ハンドル部３２を上下させることで、排水管１１０及びオーバーフロー管１１４の圧力が変化し、これにより汚物が移動、すなわち、取り除くことができる。
【００２６】
ここで、従来技術では、真空式パイプクリーナー３０を用いて排水管１１０に詰まった汚物を取り除く際に、オーバーフロー口１１２から空気が出入りしてしまうことを防止するために、別の清掃作業員が手でオーバーフロー口１１２を押さえる等していたため不便であった。しかしながら、清掃補助治具１０を用いることで、オーバーフロー口１１２をしっかりと塞ぐことができるため、一人の清掃作業員のみで真空式パイプクリーナー３０を用いて汚物を排除することができる。したがって、清掃補助治具１０を用いることで、より簡単に排水管１１０に詰まった汚物を取り除くことができる。
【００２７】
次に、清掃補助治具１０の変形例である清掃補助治具１０ａについて説明する。清掃補助治具１０ａと清掃補助治具１０との相違は、連結部１７（連結部１６の代替）とバネ部材１９（蝶ナット２０の代替）であるため、その相違点を中心に説明する。図８は、清掃補助治具１０ａを示す断面図である。
【００２８】
連結部１７は、連結部１６と同じ材料で構成され、ほぼ同じ形状・大きさで構成されているが、その相違点は表面部分にねじ切りが設けられていない点である。また、蓋部１２は、連結部１７の長手方向に沿って移動可能な状態で設けられている。
【００２９】
バネ部材１９は、適当なバネ定数となるように螺旋状に巻かれたコイルバネである。バネ部材１９の一方端は連結部１７の端部１７ｅに取り付けられ、他方端は板部材１８に取り付けられている。これにより、手を用いて蓋部１２を引っ掛け部１４側と反対側に動かすとバネ部材１９が圧縮された状態となり、その後、手を離すとバネ部材１９の付勢力によって蓋部１２が引っ掛け部１４側に押し付けられる。つまり、清掃作業員は、清掃補助治具１０ａを準備し、バネ部材１９が圧縮された状態となるように蓋部１２を動かし、引っ掛け部１４の内側面１４ａを、オーバーフロー口１１２を形成している部分である端部１０２ａに引っ掛ける。その後、手を離すと蓋部１２が引っ掛け部１４側に押し付けられるため、オーバーフロー口１１２を形成している部分の端部１０２ａを蓋部１２と引っ掛け部１４とでしっかりと挟んでいる状態となり、また、オーバーフロー口１１２は蓋部１２によってしっかりと密封される。その後、上記のように清掃補助治具１０を用いたときと同様の手順で、真空式パイプクリーナー３０を用いて、排水管１１０の汚物を取り除くことができる。したがって、清掃補助治具１０ａを用いた場合であっても、より簡単に排水管１１０に詰まった汚物を取り除くことができる。
【符号の説明】
【００３０】
１０，１０ａ  清掃補助治具、１２  蓋部、１２ａ  貫通孔、１４  引っ掛け部、１４ａ  内側面、１６  連結部、１６ｅ  端部、１７  連結部、１７ｅ  端部、１８  板部材、１８ａ  貫通孔、１９  バネ部材、２０  蝶ナット、３０  真空式パイプクリーナー、３２  ハンドル部、３４  皿部、１００  洗面台、１０２  本体部、１０２ａ  端部、１０３  蛇口、１０４  排水口、１０６  ポップアップ式止水栓、１０８  ポップアップつまみ、１１０  排水管、１１２  オーバーフロー口、１１４  オーバーフロー管。
【図１】
0005832316.tif 000002
【図２】
0005832316.tif 000003
【図３】
0005832316.tif 000004
【図４】
0005832316.tif 000005
【図５】
0005832316.tif 000006
【図６】
0005832316.tif 000007
【図７】
0005832316.tif 000008
【図８】
0005832316.tif 000009